【手続補正書】
【提出日】平成18年9月13日(2006.9.13)
【手続補正１】
【補正対象書類名】明細書
【補正対象項目名】特許請求の範囲
【補正方法】変更
【補正の内容】
【特許請求の範囲】
【請求項１】
１）数平均分子量が８００〜４０００(V.P.O法)のポリブテン１０〜４０重量％と、
２）デキストリン脂肪酸エステル及び／又は１２−ヒドロキシステアリン酸と、を含有することを特徴とする、オイルゲル化粧料。
【請求項２】
更に、樹脂薄膜積層小片を含有することを特徴とする、請求項１に記載のオイルゲル化粧料。
【請求項３】
更に、リンゴ酸ジイソステアリルを含有することを特徴とする、請求項２に記載のオイルゲル化粧料。
【請求項４】
リップグロスであることを特徴とする、請求項１〜３何れか１項に記載のオイルゲル化粧料。
【手続補正２】
【補正対象書類名】明細書
【補正対象項目名】０００１
【補正方法】変更
【補正の内容】
【０００１】
【発明の属する技術分野】
本発明はオイルゲル化粧料に関し、更に詳しくはリップグロスとして好適なオイルゲル化粧料に関する。
【手続補正３】
【補正対象書類名】明細書
【補正対象項目名】０００４
【補正方法】変更
【補正の内容】
【０００４】
【発明が解決しようとする課題】
本発明は、この様な状況下為されたものであり、安定性に優れツヤの向上したオイルゲ
ル化粧料を提供することを課題とする。
【手続補正４】
【補正対象書類名】明細書
【補正対象項目名】０００５
【補正方法】変更
【補正の内容】
【０００５】
【課題の解決手段】
本発明者らは、かかる状況に鑑みて、安定性に優れツヤの向上したオイルゲル化粧料を求めて鋭意研究努力を重ねた結果、１）特定の高粘度のポリブテンと、２）デキストリン脂肪酸エステル及び／又は１２−ヒドロキシステアリン酸とを含有することを特徴とする、オイルゲル化粧料にその様な特性を見いだし発明を完成させるに至った。即ち、本発明は以下に示す技術に関するものである。
（１）１）数平均分子量が８００〜４０００(V.P.O法)のポリブテン１０〜４０重量％と、２）デキストリン脂肪酸エステル及び／又は１２−ヒドロキシステアリン酸と、を含有することを特徴とする、オイルゲル化粧料。
（２）更に、樹脂薄膜積層小片を含有することを特徴とする、（１）に記載のオイルゲル化粧料。
（３）更に、リンゴ酸ジイソステアリルを含有することを特徴とする、（２）に記載のオイルゲル化粧料。
（４）リップグロスであることを特徴とする、（１）〜（３）何れか１項に記載のオイルゲル化粧料。
以下、本発明について、実施の形態を中心に更に詳細に説明を加える。
【手続補正５】
【補正対象書類名】明細書
【補正対象項目名】０００６
【補正方法】変更
【補正の内容】
【０００６】
【発明の実施の形態】
（１）本発明のオイルゲル化粧料の必須成分であるポリブテン
本発明のオイルゲル化粧料は、数平均分子量が８００〜４０００(V.P.O法)のポリブテンを必須の成分として含有することを特徴とする。本発明で言うポリブテンとは、ノルマルブテン又はイソブテンから選ばれる１種乃至は２種以上を重合して得られるものの総称で、本発明の化粧料では、この様なポリブテンの何れもが使用できるが、特に好ましいものは、ノルマルブテンとイソブテンの共重合体が例示できる。これはこの様な組合せが、安定性に優れたツヤの向上効果を有するからである。この様なポリブテンは上記モノマーを高圧重合法や低圧重合法などの常法に従って重合させて得ることも出来るが、既に化粧料原料として市販されているものがあり、その様なものを用いることも出来る。品質の安定性を勘案すれば市販品を使用することが好ましい。かかる市販品としては、例えば、日本石油化学株式会社より販売されている、ノルマルブテンとイソブテンの共重合体である、ニッサンポリブテンが好ましく例示できる。本発明のオイルゲル化粧料に於いては、この様なポリブテンは唯一種のみを含有させることも出来るし、２種以上を組み合わせて含有させることも出来る。本発明のオイルゲル化粧料に於ける、かかるポリブテンの含有量は、総量で１０〜４０重量％であり、好ましくは２０〜３０重量％になるように含有させるのが好ましい。これは、少なすぎると系が構造を作らない場合があり、多すぎると構造が硬くなり過ぎ機能を損なう場合があるからである。
【手続補正６】
【補正対象書類名】明細書
【補正対象項目名】０００７
【補正方法】変更
【補正の内容】
【０００７】
（２）本発明のオイルゲル化粧料の必須成分であるデキストリン脂肪酸エステル、１２−ヒドロキシステアリン酸
本発明のオイルゲル化粧料はデキストリン脂肪酸エステル及び／又は１２−ヒドロキシステアリン酸を必須成分として含有することを特徴とする。この内、デキストリン脂肪酸エステルについて、かかるデキストリン脂肪酸エステル構成する脂肪酸残基としては、通常化粧料で使用されている脂肪酸の脂肪酸残基であれば特段の限定無く適用でき、炭素数に換算すれば１０〜３０のものが好ましく、更に好ましくは１２〜２４のものが例示できる。具体的には、ラウリン酸残基、ミリスチン酸残基、パルミチン酸残基、ステアリン酸残基、ベヘン酸残基、オレイン酸残基、リノール酸残基、カプリル酸残基、カプリン酸残基などが例示でき、これらの中ではパルミチン酸残基が特に好ましく例示できる。これは、上記他の必須成分である、ポリブテンとのゲル形成特性のためである。これらのデキストリン脂肪酸エステルは、デキストリンの水酸基を残さず脂肪酸でアシル化したものが特に好ましいが、多少の水酸基の残余は許容される。デキストリンの水酸基の少なくとも８０％がアシル化されていることが好ましい。この様な脂肪酸残基は唯一種であっても良いし、２種以上の組合せであってもかまわない。この様なデキストリン脂肪酸エステルは、ジメチルスルホキサイドやジメチルホルムアミドなどを溶媒として、トリエチルアミンやピリジンなどの存在下、デキストリンに、脂肪酸に塩化チオニルなどのハロゲン化剤を反応させて作成したアシルハライドを反応させることにより製造することが出来るが、既に化粧料用の原料として市販されているものもあり、その様なものを使用することも出来る。品質の安定性を勘案するならば、この様な市販品を用いることが好ましく、この様な市販品としては、千葉製粉株式会社製のレオパールシリーズが好ましく例示でき、中でもパルミチン酸エステルである、レオパールＫＬが特に好ましく例示できる。本発明のオイルゲル化粧料に於いては、かかるデキストリン脂肪酸エステルは唯一種を含有させることも出来るし、二種以上を組み合わせて含有させることも出来る。かかるデキストリン脂肪酸エステルの本発明のオイルゲル化粧料に於ける好ましい含有量は、総量で５〜２０重量％であり、更に好ましくは７〜１５重量％である。これは少なすぎると、構造を形成しない場合があり、多すぎるとツヤなどの基本品質を損なう場合があるからである。
【手続補正７】
【補正対象書類名】明細書
【補正対象項目名】００２０
【補正方法】変更
【補正の内容】
【００２０】
＜実施例７＞
下記に示す処方に従って、ファンデーション１を作成した。即ち、イの成分を予め１ｍｍヘリングボーンスクリーンを装着したパルベライザーで粉砕し、９０℃で加熱溶解したロに加え、ダブルプラネタリーミキサーで加熱しながら混合し、金皿に充填し、加熱加圧成形し、冷却してファンデーションを得た。このものはのびとツヤに優れるファンデーションであった。
イ
シリコーン処理二酸化チタン        ２０重量部
シリコーン処理タルク              ２０重量部
シリコーン処理セリサイト          ２０重量部
シリコーン処理酸化鉄                ５重量部
メチルシロキサン網状重合体          ５重量部
ロ
ポリブテン                        １５重量部
デキストリンオレイン酸エステル      ５重量部
流動パラフィン                    １０重量部
【手続補正８】
【補正対象書類名】明細書
【補正対象項目名】００２１
【補正方法】変更
【補正の内容】
【００２１】
【発明の効果】
本発明によれば、安定性に優れツヤの向上したオイルゲル化粧料を提供することができる。